(57)【特許請求の範囲】
【請求項１】
正極または負極の端子である第一端子を有する第一蓄電素子と外部接続端子とを備える蓄電装置であって、
前記第一蓄電素子の前記第一端子側に配置される端子側配置部材を備え、
前記端子側配置部材は、
前記第一端子と、前記第一蓄電素子とは異なる第二蓄電素子が有する端子であって前記第一端子とは異なる極性の第二端子とを接続する第一導電部材を収容可能な導電部材収容部と、
前記第一端子と前記外部接続端子とを接続する第二導電部材を、前記導電部材収容部から導出可能な第一導出部とを有する
蓄電装置。
【請求項２】
前記第一導電部材は、前記第一端子と前記外部接続端子とを接続することなく、前記第一端子と前記第二端子とを接続し、
前記第二導電部材は、前記第一端子と前記第二端子とを接続することなく、前記第一端子と前記外部接続端子とを接続する
請求項１に記載の蓄電装置。
【請求項３】
前記導電部材収容部は、前記第一端子と前記第二端子とを接続するバスバーを前記第一導電部材として収容可能なバスバー配置用の開口部であり、
前記第一導出部は、前記第一端子から前記外部接続端子へ向けて前記第二導電部材を導出可能な端子接続用の開口部であり、
前記バスバー配置用の開口部と前記端子接続用の開口部とは、前記端子側配置部材の異なる部分を異なる方向に貫通した開口部である
請求項１または２に記載の蓄電装置。
【請求項４】
前記端子側配置部材は、さらに、前記導電部材収容部の外周に形成された壁を有し、
前記第一導出部は、前記壁に形成されている
請求項１〜３のいずれか１項に記載の蓄電装置。
【請求項５】
前記端子側配置部材は、さらに、
前記外部接続端子と、前記第二蓄電素子の前記第二端子とは異なる方の端子である第三端子とを接続する第三導電部材を導出可能な第二導出部を有する
請求項１〜４のいずれか１項に記載の蓄電装置。
【請求項６】
前記第一端子及び前記外部接続端子は、前記第二端子及び前記第三端子に接続されることなく、互いに接続されている
請求項５に記載の蓄電装置。
【請求項７】
さらに、前記第二蓄電素子が収容される蓄電素子収容部を備え、
前記蓄電素子収容部は、前記第一蓄電素子と隣り合う位置、かつ、前記外部接続端子の最も近くに配置される蓄電素子の収容部である
請求項１〜６のいずれか１項に記載の蓄電装置。
【請求項８】
正極または負極の端子である第一端子を有する第一蓄電素子の前記第一端子側に配置される端子側配置部材であって、
前記第一端子と、前記第一蓄電素子とは異なる第二蓄電素子が有する端子であって前記第一端子とは異なる極性の第二端子とを接続する第一導電部材を収容可能な導電部材収容部と、
前記第一端子と外部接続端子とを接続する第二導電部材を、前記導電部材収容部から導出可能な第一導出部と
を備える端子側配置部材。
【発明の詳細な説明】
【技術分野】
【０００１】
本発明は、蓄電素子を備える蓄電装置、及び蓄電素子の電極端子側に配置される端子側配置部材に関する。
【背景技術】
【０００２】
蓄電素子を備える蓄電装置において、従来、隣り合う蓄電素子の電極端子同士をバスバーで繋いだ構成が知られている（例えば、特許文献１参照）。
【先行技術文献】
【特許文献】
【０００３】
【特許文献１】特開２０１０−２２５５８３号公報
【発明の概要】
【発明が解決しようとする課題】
【０００４】
しかしながら、上記従来の蓄電装置においては、配置される蓄電素子の個数が予め定められており、当該個数に合わせて設計されているため、当該個数を変更するのが困難であるという問題がある。つまり、上記従来の蓄電装置では、蓄電素子の個数に合わせてバスバーの配置や当該バスバーを保持する樹脂部材が設計されているため、当該個数を変更するには、当該樹脂部材の形状を変更するなどの必要が生じる。
【０００５】
本発明は、上記問題を解決するためになされたものであり、蓄電素子の個数を容易に変更することができる蓄電装置、及び蓄電素子の電極端子側に配置される端子側配置部材を提供することを目的とする。
【課題を解決するための手段】
【０００６】
上記目的を達成するために、本発明の一態様に係る蓄電装置は、正極または負極の端子である第一端子を有する第一蓄電素子と外部接続端子とを備える蓄電装置であって、前記第一蓄電素子の前記第一端子側に配置される端子側配置部材を備え、前記端子側配置部材は、前記第一端子と、前記第一蓄電素子とは異なる第二蓄電素子が有する第二端子とを接続する第一導電部材を収容可能な導電部材収容部と、前記第一端子と前記外部接続端子とを接続する第二導電部材を、前記導電部材収容部から導出可能な第一導出部とを有する。
【０００７】
これによれば、蓄電装置において、端子側配置部材は、第一蓄電素子の第一端子及び第二蓄電素子の第二端子を接続する第一導電部材を収容可能な導電部材収容部と、当該第一端子及び外部接続端子を接続する第二導電部材を導電部材収容部から導出可能な第一導出部とを有している。つまり、導電部材収容部に第一導電部材を配置すれば、第一蓄電素子に第二蓄電素子を接続することができ、第一導出部に第二導電部材を配置すれば、第一蓄電素子に外部接続端子を接続することができる。このため、第一蓄電素子に第二蓄電素子が接続され第二蓄電素子に外部接続端子が接続された状態から、第二蓄電素子を取り外して第一蓄電素子に外部接続端子を接続することで、蓄電素子の数を減らすことができる。このように、当該蓄電装置によれば、蓄電素子の取り付け及び取り外しを容易に行うことができるため、蓄電素子の個数を容易に変更することができる。
【０００８】
また、前記導電部材収容部は、前記第一端子と前記第二端子とを接続するバスバーを前記第一導電部材として収容可能なバスバー配置用の開口部であり、前記第一導出部は、前記第一端子から前記外部接続端子へ向けて前記第二導電部材を導出可能な端子接続用の開口部であり、前記バスバー配置用の開口部と前記端子接続用の開口部とは、前記端子側配置部材の異なる部分を異なる方向に貫通した開口部であることにしてもよい。
【０００９】
これによれば、導電部材収容部はバスバー配置用の開口部であり、第一導出部は端子接続用の開口部であり、これら２つの開口部は、端子側配置部材の異なる部分を異なる方向に貫通している。つまり、例えば、導電部材収容部を、第二蓄電素子の方向に向けて開口させることで、導電部材収容部を介して第一蓄電素子及び第二蓄電素子を容易に接続することができる。また、第一導出部を外部接続端子の方向に向けて開口させることで、第一導出部を介して第一蓄電素子及び外部接続端子を容易に接続することができる。
【００１０】
また、前記端子側配置部材は、さらに、前記導電部材収容部の外周に形成された壁を有し、前記第一導出部は、前記壁に形成されていることにしてもよい。
【００１１】
これによれば、端子側配置部材において、導電部材収容部の外周には壁が形成され、当該壁に第一導出部が形成されているため、導電部材収容部の外周に壁を形成した場合でも、容易に第一導出部を形成することができる。
【００１２】
また、前記端子側配置部材は、さらに、前記外部接続端子と前記第三端子とを接続する第三導電部材を導出可能な第二導出部を有することにしてもよい。
【００１３】
これによれば、端子側配置部材は、さらに、外部接続端子と第二蓄電素子の第三端子とを接続する第三導電部材を導出可能な第二導出部を有している。これにより、第二蓄電素子を取り付ける際に、容易に、外部接続端子に第二蓄電素子を接続することができる。
【００１４】
また、さらに、前記第二蓄電素子が収容される蓄電素子収容部を備え、前記蓄電素子収容部は、前記第一蓄電素子と隣り合う位置、かつ、前記外部接続端子の最も近くに配置される蓄電素子の収容部であることにしてもよい。
【００１５】
これによれば、蓄電素子収容部は、第一蓄電素子と隣り合う位置、かつ、外部接続端子の最も近くに配置されるため、蓄電素子収容部に第二蓄電素子を収容する際に、第二蓄電素子を第一蓄電素子及び外部接続端子に容易に接続することができる。
【００１６】
また、前記第一端子及び前記外部接続端子は、前記第二端子及び前記第三端子に接続されることなく、互いに接続されていることにしてもよい。
【００１７】
これによれば、第一蓄電素子の第一端子及び外部接続端子は、第二蓄電素子の第二端子及び第三端子に接続されることなく、互いに接続されている。つまり、蓄電装置において、第二蓄電素子が収容される蓄電素子収容部が設けられている場合でも、第二蓄電素子が収容されることなく、第一蓄電素子と外部接続端子とが接続された構成を有している。このように、当該蓄電装置によれば、蓄電素子の個数を収容可能な個数から低減して構成することができる。
【００１８】
なお、本発明は、このような蓄電装置として実現することができるだけでなく、当該蓄電装置が備える、蓄電素子の電極端子側に配置される端子側配置部材としても実現することができる。
【発明の効果】
【００１９】
本発明によれば、蓄電素子の個数を容易に変更することができる蓄電装置を提供することができる。
【図面の簡単な説明】
【００２０】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電素子の構成を示す斜視図である。
【図４】本発明の実施の形態に係る端子側配置部材の構成を示す斜視図である。
【図５】本発明の実施の形態に係る端子側配置部材と蓄電素子及びバスバーとの位置関係を示す斜視図である。
【図６】本発明の実施の形態に係る複数の蓄電素子をバスバー及び導電部材で接続した構成を示す斜視図である。
【図７】本発明の実施の形態に係る複数の蓄電素子をバスバー及び導電部材で接続した構成を示す平面図である。
【図８】本発明の実施の形態に係る蓄電装置が１４個の蓄電素子を備える場合の構成を示す斜視図である。
【図９】本発明の実施の形態に係る蓄電装置が１４個の蓄電素子を備える場合の構成を示す平面図である。
【発明を実施するための形態】
【００２１】
以下、図面を参照しながら、本発明の実施の形態に係る蓄電装置について説明する。なお、以下で説明する実施の形態は、本発明の一具体例を示すものである。以下の実施の形態で示される数値、形状、材料、構成要素、構成要素の配置位置及び接続形態などは、一例であり、本発明を限定する主旨ではない。また、以下の実施の形態に係る構成要素のうち、最上位概念を示す独立請求項に記載されていない構成要素については、任意の構成要素として説明される。また、各図は、蓄電装置の説明のための図であり、必ずしも厳密に図示したものではない。
【００２２】
（実施の形態）
まず、蓄電装置１の構成について、説明する。
【００２３】
図１は、本発明の実施の形態に係る蓄電装置１の外観を示す斜視図である。また、図２は、本発明の実施の形態に係る蓄電装置１を分解した場合の各構成要素を示す分解斜視図である。
【００２４】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。例えば、Ｘ軸方向が上下方向になってもかまわない。以下の図においても、同様である。
【００２５】
蓄電装置１は、外部からの電気を充電し、また外部へ電気を放電することができる装置である。例えば、蓄電装置１は、電力貯蔵用途や電源用途などに使用される電池モジュールである。中でも、本実施の形態に係る蓄電装置１は、据置用の電源装置として好適に使用される。
【００２６】
まず、図１に示すように、蓄電装置１は、外装体本体１００と前壁部２００と上壁部３００とからなる外装体１０を備えている。また、図２に示すように、蓄電装置１は、外装体１０の内方に、底面側配置部材２０と、蓄電素子４０と、端子側配置部材５０と、バスバー６０と、配線基板７０と、計測基板８１と、主回路基板８２とを備えている。
【００２７】
外装体１０は、蓄電装置１の外装体を構成する矩形状（箱型）の容器（モジュールケース）である。外装体１０は、蓄電素子４０や基板（配線基板７０、計測基板８１及び主回路基板８２）などを所定の位置に配置し、蓄電素子４０や当該基板などを衝撃などから保護する。外装体１０は、例えば、アルミニウムや鉄等の金属などの剛性の高い材料により構成されている。なお、外装体１０は、ポリプロピレン（ＰＰ）、ポリエチレン（ＰＥ）、ポリカーボネート（ＰＣ）、ポリブチレンテレフタレート（ＰＢＴ）またはＡＢＳ樹脂等の樹脂材料により構成されていてもかまわない。
【００２８】
ここで、外装体１０は、外装体本体１００と前壁部２００と上壁部３００とを有している。外装体本体１００は、外装体１０の本体を構成する部材であり、矩形状の底壁と、当該底壁から立設した３つの矩形状の側壁とを有している。外装体本体１００は、板状の部材を折り曲げた形状を有している。また、前壁部２００は、外装体１０のもう１つの側壁を構成する矩形状かつ板状の部材である。つまり、外装体本体１００と前壁部２００とで、有底矩形筒状の部材を形成する。
【００２９】
また、前壁部２００には、蓄電装置１の外部と接続するための端子である外部接続端子２１０が設けられている。外部接続端子２１０は、正極側端子と負極側端子とを有している。つまり、外部接続端子２１０の正極側端子は、いずれかの蓄電素子４０の正極端子と接続され、外部接続端子２１０の負極側端子は、いずれかの蓄電素子４０の負極端子と接続される。
【００３０】
上壁部３００は、外装体１０の上壁（蓋）を構成する部材であり、外装体本体１００及び前壁部２００からなる有底矩形筒状の部材の開口を塞ぐ矩形状かつ板状の部材である。つまり、外装体本体１００及び前壁部２００の内方に、蓄電素子４０や基板（配線基板７０、計測基板８１及び主回路基板８２）等が配置された状態で、当該開口部が上壁部３００で閉止される。
【００３１】
底面側配置部材２０は、蓄電素子４０の底面側に配置される扁平な矩形状の部材であり、蓄電素子４０を下方から支持する。つまり、底面側配置部材２０は、外装体本体１００の底壁に載置されて当該底壁に取り付けられて固定され、蓄電素子４０を外装体１０に対して所定位置で支持する。
【００３２】
具体的には、底面側配置部材２０は、絶縁性の材料により構成されており、上面に形成された凹部に蓄電素子４０が挿入されて、蓄電素子４０を外装体１０内で固定する。このようにして、底面側配置部材２０は、蓄電素子４０が外装体１０等の導電性の部材に接触することを回避するとともに、蓄電素子４０等を振動や衝撃等から保護する。
【００３３】
なお、底面側配置部材２０は、どのような絶縁性の材料で形成されていてもかまわないが、例えばガラス繊維によって強化されたポリブチレンテレフタレート（ＧＦ強化ＰＢＴ）や、ポリフェニレンサルファイド（ＰＰＳ）等の耐熱性の高い樹脂で形成されるのが好ましい。これにより、蓄電素子４０が発熱した場合でも、底面側配置部材２０が損傷して他の蓄電素子４０に影響を及ぼすのを抑制することができる。なお、蓄電素子４０の絶縁性を確保できるのであれば、底面側配置部材２０は、絶縁性の材料で形成されていなくともかまわない。
【００３４】
蓄電素子４０は、電気を充電し、また、電気を放電することのできる二次電池（単電池）であり、より具体的には、リチウムイオン二次電池などの非水電解質二次電池である。本実施の形態では、外装体１０内に１３個の蓄電素子４０が収容されているが、空いたスペースにもう１つの蓄電素子４０を追加して、１４個の蓄電素子４０が収容された構成でもかまわない。詳細については、後述する。また、蓄電素子４０は、非水電解質二次電池には限定されず、非水電解質二次電池以外の二次電池であってもよいし、キャパシタであってもよい。蓄電素子４０の構成の詳細については、後述する。
【００３５】
端子側配置部材５０は、蓄電素子４０の電極端子側に配置される扁平な矩形状の部材であり、蓄電素子４０を上方から支持する。つまり、端子側配置部材５０は、蓄電素子４０の上方に配置されており、底面側配置部材２０とともに、蓄電素子４０を上下両側（Ｚ軸方向）から挟み込むことで、蓄電素子４０を外装体１０に対して所定位置で支持する。
【００３６】
具体的には、端子側配置部材５０は、絶縁性の材料により構成されており、下面に形成された凹部に蓄電素子４０が挿入されて、蓄電素子４０を外装体１０内で固定する。このようにして、端子側配置部材５０は、蓄電素子４０が外装体１０等の導電性の部材に接触することを回避するとともに、蓄電素子４０等を振動や衝撃等から保護する。
【００３７】
また、端子側配置部材５０には、バスバー６０及び配線基板７０が載置される。つまり、端子側配置部材５０は、バスバー６０及び配線基板７０を蓄電素子４０に取り付ける際の蓄電素子４０に対する位置決めの機能も有する。なお、端子側配置部材５０は、どのような絶縁性の材料で形成されていてもかまわないが、コスト面等から、例えばＰＰ、ＰＥ、ＰＣまたはＡＢＳ樹脂等の樹脂で形成されるのが好ましい。なお、蓄電素子４０やバスバー６０等の絶縁性を確保できるのであれば、端子側配置部材５０は、絶縁性の材料で形成されていなくともかまわない。この端子側配置部材５０の構成の詳細については、後述する。
【００３８】
バスバー６０は、端子側配置部材５０の上方に配置され、複数の蓄電素子４０同士を電気的に接続する金属など導電性の板状部材である。具体的には、バスバー６０は、隣接する蓄電素子４０において、一の蓄電素子４０の正極端子または負極端子と、他の蓄電素子４０の負極端子または正極端子とを接続する。本実施の形態では、バスバー６０は、１３個の蓄電素子４０を直列に接続する。
【００３９】
配線基板７０は、端子側配置部材５０の上方に配置されている。また、蓄電素子４０の電圧を検出するために、配線基板７０は、蓄電装置１が備える蓄電素子４０のうちの少なくとも１つの蓄電素子４０の電極端子（本実施の形態では、全ての蓄電素子４０の正極端子）に一端が接続された配線を有している。また、配線基板７０は、矩形状を有しており、蓄電素子４０の正極端子と負極端子との間に配置される。本実施の形態では、２枚の配線基板７０が配置されているが、配線基板７０の枚数は限定されない。また、配線基板７０に代えて、ハーネス等を用いることもできるが、配線基板７０を用いて電極端子と計測基板８１とを接続することにより、配線の引き回しが容易となり、組付性が向上する。なお、配線基板７０は、サーミスタを実装し、蓄電素子４０の温度を検出することができる構成を有していてもかまわない。
【００４０】
計測基板８１及び主回路基板８２は、蓄電素子４０と外装体１０の側壁との間に配置され、かつ、蓄電装置１が備える蓄電素子４０のうちの少なくとも１つの蓄電素子４０と接続されて、蓄電素子４０の状態を計測及び制御する基板である。具体的には、主回路基板８２は、大電流が流れる主回路部品を実装した基板であり、蓄電素子４０の容器の短側面に対向する外装体１０の側壁の内面に固定される。また、計測基板８１は、小電流が流れる周辺回路部品を実装した基板であり、蓄電素子４０の容器の長側面に対向する外装体１０の側壁の内面に固定される。
【００４１】
次に、蓄電素子４０の構成について、詳細に説明する。
【００４２】
図３は、本発明の実施の形態に係る蓄電素子４０の構成を示す斜視図である。
【００４３】
同図に示すように、蓄電素子４０は、容器４２０、正極端子４３０及び負極端子４４０を備え、容器４２０は、容器蓋部４２１を備えている。また、容器４２０内方には、電極体（発電要素）及び集電体（正極集電体及び負極集電体）等が配置され、また、電解液（非水電解質）などの液体が封入されているが、詳細な説明は省略する。
【００４４】
容器４２０は、金属からなる矩形筒状で底を備える筐体本体と、当該筐体本体の開口を閉塞する金属製の容器蓋部４２１とで構成されている。また、容器４２０は、電極体等を内部に収容後、容器蓋部４２１と筐体本体とが溶接等されることにより、内部を密封することができるものとなっている。このように、容器４２０は、同図のＹ軸方向両側の側面に長側面を有し、Ｘ軸方向両側の側面に短側面を有する直方体形状の容器である。なお、容器４２０の材質は、特に限定されないが、例えばステンレス鋼やアルミニウムなど溶接可能な金属であるのが好ましい。
【００４５】
正極端子４３０は、正極集電体を介して、電極体の正極に電気的に接続された電極端子であり、負極端子４４０は、負極集電体を介して、電極体の負極に電気的に接続された電極端子であり、いずれも容器蓋部４２１に取り付けられている。つまり、正極端子４３０及び負極端子４４０は、電極体に蓄えられている電気を蓄電素子４０の外部空間に導出し、また、電極体に電気を蓄えるために蓄電素子４０の内部空間に電気を導入するための金属製の電極端子である。
【００４６】
次に、端子側配置部材５０の構成について、詳細に説明する。
【００４７】
図４は、本発明の実施の形態に係る端子側配置部材５０の構成を示す斜視図である。また、図５は、本発明の実施の形態に係る端子側配置部材５０と蓄電素子４０及びバスバー６０との位置関係を示す斜視図である。
【００４８】
これらの図に示すように、端子側配置部材５０は、複数の蓄電素子４０（本実施の形態では、１３個の蓄電素子４０１〜４１３）の電極端子側に配置される部材であり、上方に、複数のバスバー６０（本実施の形態では、１２個のバスバー６０）及び導電部材６１〜６３が配置される。具体的には、端子側配置部材５０は、導電部材配置部５１０と、導電部材配置部５２０と、１２個の導電部材配置部５３０と、導電部材配置部５４０とを有している。
【００４９】
まず、導電部材配置部５３０について、説明する。
【００５０】
導電部材配置部５３０は、２つの蓄電素子４０の電極端子を接続するバスバー６０が配置される部位である。つまり、１２個の導電部材配置部５３０のそれぞれに、１２個のバスバー６０のそれぞれが配置されている。バスバー６０は、複数の蓄電素子４０のうちの隣り合う蓄電素子４０の正極端子４３０と負極端子４４０とを接続する導電部材である。ここで、導電部材配置部５３０は、載置部５３１と、壁部５３２と、突起部５３３とを有しており、壁部５３２によって開口部である導電部材収容部５３４が形成されている。
【００５１】
載置部５３１は、バスバー６０が載置される平板形状の部位である。また、突起部５３３は、壁部５３２の内面から導電部材収容部５３４内方に突出した部位であり、バスバー６０の上方に配置される。つまり、突起部５３３は、載置部５３１とでバスバー６０を挟み込んで、バスバー６０を導電部材収容部５３４内で固定する。
【００５２】
壁部５３２は、バスバー６０が載置部５３１に載置された場合にバスバー６０の外周を囲う環状の壁であり、上方（Ｚ軸方向）に向けて立設して配置されている。ここで、壁部５３２は、バスバー６０の外周形状に沿って形成されており、バスバー６０が他の導電部材と接触するのを防ぐとともに、バスバー６０を配置するためのガイドの役割も担っている。
【００５３】
また、壁部５３２は、上方（Ｚ軸方向）から見て、長方形状、または長方形状の２つの角部が欠けた六角形状を有しており、バスバー６０は、外周形状が当該長方形状または六角形状と同じ形状となっている。なお、壁部５３２及びバスバー６０が六角形状など回転対称ではない形状を有する場合には、壁部５３２はバスバー６０の外周に沿って形成されているため、バスバー６０が間違えた向きに配置されるのを防ぐことができる。
【００５４】
導電部材収容部５３４は、壁部５３２で囲まれた空間（開口部）であり、バスバー６０が収容される。言い換えれば、導電部材収容部５３４の外周に壁部５３２が形成されている。つまり、導電部材収容部５３４は、上方（Ｚ軸方向）から見て、バスバー６０の外周形状と同じ形状を有している。
【００５５】
この導電部材収容部５３４に、隣り合う蓄電素子４０の正極端子４３０と負極端子４４０とが挿入され、バスバー６０が接続される。つまり、導電部材収容部５３４に正極端子４３０のボルト部が挿入され、ナットによって、正極端子４３０にバスバー６０の一端部が接続される。また、導電部材収容部５３４に負極端子４４０のボルト部が挿入され、ナットによって、負極端子４４０にバスバー６０の他端部が接続される。
【００５６】
次に、導電部材配置部５２０について、説明する。
【００５７】
導電部材配置部５２０は、蓄電素子４０の電極端子に接続される導電部材６１または後述のバスバー６０ａ（図８及び図９参照）が配置される部位である。本実施の形態では、導電部材配置部５２０には、導電部材６１が配置される。
【００５８】
導電部材６１は、複数の蓄電素子４０のうちのＸ軸方向プラス側及びＹ軸方向マイナス側の端部に配置された蓄電素子４０１の正極端子４３０と、外装体１０の前壁部２００に設けられた外部接続端子２１０の正極側端子とに接続される導電性の部材である。つまり、導電部材６１は、蓄電素子４０の電極端子と外部接続端子２１０とを接続する部材である。なお、導電部材６１は、本実施の形態では導電線（金属配線）であるが、金属製の棒状部材や板状部材など、どのような形状であってもかまわない。
【００５９】
ここで、導電部材配置部５２０は、載置部５２１と、壁部５２２と、突起部５２３とを有しており、壁部５２２によって導電部材収容部５２４が形成されている。また、壁部５２２には、第一導出部５２５が形成されている。
【００６０】
つまり、導電部材配置部５２０は、壁部５２２に第一導出部５２５が形成されている点で、導電部材配置部５３０と異なっているが、導電部材配置部５２０の載置部５２１、壁部５２２、突起部５２３及び導電部材収容部５２４の構成は、導電部材配置部５３０の載置部５３１、壁部５３２、突起部５３３及び導電部材収容部５３４の構成と同様である。このため、以下では、載置部５２１、壁部５２２、突起部５２３及び導電部材収容部５２４の構成の詳細については、簡略化して説明する。
【００６１】
載置部５２１は、バスバー６０ａが載置可能な平板形状の部位である。また、突起部５２３は、壁部５２２の内面から導電部材収容部５２４内方に突出した部位であり、バスバー６０ａが載置部５２１に載置された場合に、バスバー６０ａの上方に配置可能に形成されている。つまり、突起部５２３は、載置部５２１とでバスバー６０ａを挟み込んで、バスバー６０ａを導電部材収容部５２４内で固定することができる。なお、本実施の形態では、このバスバー６０ａは配置されていない。
【００６２】
壁部５２２は、バスバー６０ａが載置部５２１に載置された場合にバスバー６０ａの外周を囲う環状の壁であり、上方（Ｚ軸方向）に向けて立設して配置されている。導電部材収容部５２４は、バスバー６０ａを収容可能な、壁部５２２で囲まれた空間（開口部）である。つまり、導電部材収容部５２４の外周に壁部５２２が形成されており、導電部材収容部５２４にバスバー６０ａを配置可能な構成となっている。
【００６３】
なお、上述の通り、本実施の形態では、このバスバー６０ａは配置されていないが、導電部材収容部５２４にバスバー６０ａが配置された場合には、バスバー６０ａは、蓄電素子４０１の正極端子４３０と、後述の蓄電素子４１４の負極端子４４０（図８及び図９参照）とを接続する。
【００６４】
第一導出部５２５は、導電部材６１を導電部材収容部５２４から導出可能に形成された矩形状の開口である。具体的には、第一導出部５２５は、Ｙ軸方向マイナス側の壁部５２２を矩形状に切り欠いて形成されており、第一導出部５２５内に導電部材６１を配置可能な構成となっている。
【００６５】
また、導電部材収容部５２４と第一導出部５２５とは、端子側配置部材５０の異なる部分を異なる方向に貫通した開口部である。つまり、導電部材収容部５２４は、蓄電素子４０１の正極端子４３０と蓄電素子４１４の負極端子４４０とを接続するバスバー６０ａを収容可能なバスバー配置用の開口部であり、導電部材配置部５２０をＺ軸方向に貫通して形成されている。また、第一導出部５２５は、蓄電素子４０１の正極端子４３０から外部接続端子２１０の正極側端子へ向けて導電部材６１を導出可能な端子接続用の開口部であり、導電部材配置部５２０の壁部５２２をＹ軸方向に貫通して形成されている。これにより、当該バスバー配置用の開口部と端子接続用の開口部とは、端子側配置部材５０の異なる部分を異なる方向に貫通した開口部となっている。
【００６６】
なお、第一導出部５２５は、Ｙ軸方向プラス側の壁部５２２をＹ軸方向に貫通して形成されていてもよいし、Ｘ軸方向プラス側またはマイナス側の壁部５２２をＸ軸方向に貫通して形成されていてもかまわない。また、第一導出部５２５は、矩形状の切り欠きには限定されず、半円形状などどのような形状の切り欠きであってもよいし、切り欠きではなく矩形状や円形状等の貫通孔であってもかまわない。
【００６７】
次に、導電部材配置部５１０について、説明する。
【００６８】
導電部材配置部５１０は、蓄電素子４０の電極端子に接続される後述の導電部材６４（図８及び図９参照）が配置可能に形成された部位である。ここで、導電部材配置部５１０に導電部材６４が配置される場合には、導電部材６４は、複数の蓄電素子４０のうちの端部（Ｘ軸方向プラス側及びＹ軸方向マイナス側の端部）に配置された蓄電素子４１４（図８及び図９参照）の正極端子４３０に接続される。なお、本実施の形態では、導電部材配置部５１０には、導電部材６４は配置されないが、以下では、導電部材配置部５１０に導電部材６４が配置されるものとして説明する。
【００６９】
導電部材６４は、複数の蓄電素子４０のうちのＸ軸方向プラス側及びＹ軸方向マイナス側の端部に配置された蓄電素子４１４の正極端子４３０と、外装体１０の前壁部２００に設けられた外部接続端子２１０の正極側端子とに接続される導電性の部材である。つまり、導電部材６４は、蓄電素子４０の電極端子と外部接続端子２１０とを接続する部材である。なお、導電部材６４は、本実施の形態では導電線（金属配線）であるが、金属製の棒状部材や板状部材など、どのような形状であってもかまわない。
【００７０】
このように、外部接続端子２１０は、蓄電素子４０１の正極端子４３０と、蓄電素子４１４の正極端子４３０とに接続可能な構成となっている。つまり、外部接続端子２１０は、導電部材６１を介して、蓄電素子４０１の正極端子４３０と接続可能に構成され、導電部材６４を介して、蓄電素子４１４の正極端子４３０と接続可能に構成されている。
【００７１】
ここで、導電部材配置部５１０は、壁部５１１を有しており、壁部５１１によって導電部材収容部５１２が形成されている。また、壁部５１１には、第二導出部５１３が形成されている。
【００７２】
壁部５１１は、導電部材６４が配置された場合に導電部材６４の外周を囲う環状の壁であり、上方（Ｚ軸方向）に向けて立設して配置されている。壁部５１１は、導電部材６４が他の導電部材と接触するのを防ぐ役割を担っている。
【００７３】
導電部材収容部５１２は、壁部５１１で囲まれた空間（開口部）であり、導電部材６４が収容される。言い換えれば、導電部材収容部５１２の外周に壁部５１１が形成されている。この導電部材収容部５１２に、蓄電素子４０の正極端子４３０が挿入され、導電部材６１が接続される。つまり、導電部材収容部５１２に正極端子４３０のボルト部が挿入され、ナットによって、正極端子４３０に導電部材６１の一端部が接続される。
【００７４】
第二導出部５１３は、導電部材６４を導電部材収容部５１２から導出可能に形成された矩形状の開口である。具体的には、第二導出部５１３は、Ｙ軸方向マイナス側の壁部５１１を矩形状に切り欠いて形成されており、第二導出部５１３内に導電部材６４を配置可能な構成となっている。
【００７５】
また、導電部材収容部５１２と第二導出部５１３とは、端子側配置部材５０の異なる部分を異なる方向に貫通した開口部である。つまり、導電部材収容部５１２は、導電部材配置部５１０をＺ軸方向に貫通して形成された開口部であり、第二導出部５１３は、導電部材配置部５１０の壁部５１１をＹ軸方向に貫通して形成された開口部である。
【００７６】
なお、第二導出部５１３は、Ｙ軸方向プラス側の壁部５１１をＹ軸方向に貫通して形成されていてもよいし、Ｘ軸方向プラス側またはマイナス側の壁部５１１をＸ軸方向に貫通して形成されていてもかまわない。また、第二導出部５１３は、矩形状の切り欠きには限定されず、半円形状などどのような形状の切り欠きであってもよいし、切り欠きではなく矩形状や円形状等の貫通孔であってもかまわない。
【００７７】
次に、導電部材配置部５４０について、説明する。なお、導電部材配置部５４０の構成は、上述の導電部材配置部５１０の構成とほぼ同じであるため、以下では、簡略化して説明する。
【００７８】
導電部材配置部５４０は、蓄電素子４０の電極端子に接続される導電部材６２が配置される部位である。ここで、導電部材６２は、複数の蓄電素子４０のうちの端部（Ｘ軸方向マイナス側及びＹ軸方向マイナス側の端部）に配置された蓄電素子４１３の負極端子４４０に接続される導電性の部材である。なお、導電部材６２は、本実施の形態では導電線（金属配線）であるが、金属製の棒状部材や板状部材など、どのような形状であってもかまわない。
【００７９】
具体的には、導電部材配置部５４０は、導電部材６２の一端部が配置される矩形状の開口部（つまり、導電部材配置部５１０の導電部材収容部５１２及び第二導出部５１３に対応する開口部）を有している。そして、当該開口部内に蓄電素子４１３の負極端子４４０のボルト部分が挿入され、ナットによって、当該負極端子４４０に導電部材６２の一端部が接続される。また、当該開口部の周りには上方（Ｚ軸方向）に立設した壁（つまり、導電部材配置部５１０の壁部５１１に対応する壁）が形成され、導電部材６２が他の導電部材と接触するのを防いでいる。また、導電部材６２の他端部は、主回路基板８２及び導電部材６３を介して、外装体１０の前壁部２００に設けられた外部接続端子２１０の負極側端子に接続される。
【００８０】
次に、複数の蓄電素子４０（蓄電素子４０１〜４１３）を、バスバー６０及び導電部材６１〜６３で接続する構成について、具体的に説明する。
【００８１】
図６は、本発明の実施の形態に係る複数の蓄電素子４０をバスバー６０及び導電部材６１〜６３で接続した構成を示す斜視図である。具体的には、同図は、図１に示された蓄電装置１から、上壁部３００及び配線基板７０を取り外した場合の構成を示す斜視図である。
【００８２】
また、図７は、本発明の実施の形態に係る複数の蓄電素子４０をバスバー６０及び導電部材６１〜６３で接続した構成を示す平面図である。つまり、同図は、図６に示された構成をＺ軸方向プラス側から見た場合の上面図である。
【００８３】
これらの図に示すように、導電部材配置部５２０に配置された導電部材６１によって、前壁部２００に設けられた外部接続端子２１０の正極側端子と、蓄電素子４０１の正極端子４３０とが接続される。具体的には、導電部材６１は、後述の蓄電素子４１４が収容される蓄電素子収容部１１０を跨いで配置されている。そして、導電部材６１は、蓄電素子収容部１１０に隣接し且つ蓄電素子収容部１１０を挟んで配置された外部接続端子２１０と蓄電素子４０１とを接続している。
【００８４】
ここで、蓄電素子収容部１１０は、蓄電素子４０１と隣り合う位置、かつ、外部接続端子２１０の最も近くに配置される蓄電素子４０の収容部である。つまり、蓄電素子収容部１１０は、蓄電素子４０が収容される空間のうち、Ｘ軸方向プラス側かつＹ軸方向マイナス側の端部の空間である。
【００８５】
また、導電部材配置部５３０に配置されたバスバー６０によって、蓄電素子４０１の負極端子４４０と蓄電素子４０２の正極端子４３０とが接続され、同様にして、蓄電素子４１３の正極端子４３０まで接続される。また、導電部材配置部５４０に配置された導電部材６２によって、蓄電素子４１３の負極端子４４０と、主回路基板８２とが接続される。
【００８６】
また、導電部材６３によって、主回路基板８２と、前壁部２００に設けられた外部接続端子２１０の負極側端子とが接続される。なお、導電部材６３は、本実施の形態では導電線（金属配線）であるが、金属製の棒状部材や板状部材など、どのような形状であってもかまわない。
【００８７】
以上のようにして、１３個の蓄電素子４０を備える蓄電装置１を構成することができる。つまり、蓄電素子４０１の正極端子４３０及び外部接続端子２１０の正極側端子は、後述の蓄電素子４１４の負極端子４４０及び正極端子４３０に接続されることなく、互いに接続されている。ここで、蓄電装置１は、１３個の蓄電素子４０を備える構成から、１４個の蓄電素子４０を備える構成に変更することができる。このため、以下に、蓄電装置１が１４個の蓄電素子４０を備える場合の構成について、説明する。
【００８８】
図８は、本発明の実施の形態に係る蓄電装置１が１４個の蓄電素子４０を備える場合の構成を示す斜視図である。具体的には、同図は、図５に対応する図である。また、図９は、本発明の実施の形態に係る蓄電装置１が１４個の蓄電素子４０を備える場合の構成を示す平面図である。具体的には、同図は、図７に対応する図である。
【００８９】
これらの図に示すように、蓄電装置１は、導電部材６１に代えて、導電部材６４及びバスバー６０ａを備えている。また、蓄電装置１は、蓄電素子４１４を加え、１４個の蓄電素子４０（蓄電素子４０１〜４１４）を備えている。
【００９０】
蓄電素子４１４は、蓄電素子４０１と隣り合う位置、かつ、外部接続端子２１０の最も近く（Ｘ軸方向プラス側かつＹ軸方向マイナス側の端部）に配置される蓄電素子である。つまり、蓄電素子４１４は、蓄電素子収容部１１０に収容されることで、蓄電装置１内に配置される。
【００９１】
また、蓄電素子４１４は、外部接続端子２１０の正極側端子と接続可能な正極端子４３０と、蓄電素子４０１の正極端子４３０と接続可能な負極端子４４０とを有している。つまり、蓄電素子４１４は、蓄電素子収容部１１０に収容された状態で、外部接続端子２１０の正極側端子及び蓄電素子４０１の正極端子４３０と接続される。
【００９２】
ここで、導電部材６４は、外部接続端子２１０の正極側端子と蓄電素子４１４の正極端子４３０とを接続する。具体的には、導電部材配置部５１０の導電部材収容部５１２に、蓄電素子４１４の正極端子４３０のボルト部が挿入され、ナットによって、当該正極端子４３０に導電部材６４の一端部が接続される。また、導電部材６４は、第二導出部５１３から導出されて、他端部が外部接続端子２１０の正極側端子に接続される。
【００９３】
また、バスバー６０ａは、蓄電素子４１４の負極端子４４０と蓄電素子４０１の正極端子４３０とを接続する。つまり、導電部材配置部５２０に、バスバー６０ａが配置される。具体的には、導電部材配置部５２０の導電部材収容部５２４に、バスバー６０ａが収容される。そして、導電部材収容部５２４に、蓄電素子４１４の負極端子４４０のボルト部が挿入され、ナットによって、当該負極端子４４０にバスバー６０ａの一端部が接続される。また、導電部材収容部５２４に、蓄電素子４０１の正極端子４３０のボルト部が挿入され、ナットによって、当該正極端子４３０にバスバー６０ａの他端部が接続される。なお、バスバー６０ａは、バスバー６０と同様の構成を有するため、詳細な説明は省略する。
【００９４】
このようにして、導電部材６４によって、外部接続端子２１０の正極側端子と蓄電素子４１４の正極端子４３０とが接続される。また、バスバー６０ａによって、蓄電素子４１４の負極端子４４０と蓄電素子４０１の正極端子４３０とが接続される。
【００９５】
以上の構成によれば、蓄電装置１には、蓄電素子４０１の正極端子４３０（第一蓄電素子の第一端子）と接続可能な負極端子４４０（第二端子）を有する蓄電素子４１４（第二蓄電素子）が収容される蓄電素子収容部１１０が設けられている。また、外部接続端子２１０が、蓄電素子４０１の正極端子４３０（第一蓄電素子の第一端子）と、蓄電素子４１４の正極端子４３０（第二蓄電素子が有する第二端子とは異なる極性（逆極性）の第三端子）とに接続可能に構成されている。
【００９６】
また、蓄電素子４０１の正極端子４３０（第一蓄電素子の第一端子）と、蓄電素子４１４の負極端子４４０（第一蓄電素子とは異なる第二蓄電素子が有する第二端子）とを接続するバスバー６０ａ（第一導電部材）を収容可能な導電部材収容部５２４が設けられている。また、蓄電素子４０１の正極端子４３０（第一端子）と、外部接続端子２１０の正極側端子とを接続する導電部材６１（第二導電部材）を、導電部材収容部５２４から導出可能な第一導出部５２５が設けられている。
【００９７】
そして、蓄電装置１が１３個の蓄電素子４０を備える場合には、導電部材６１（第二導電部材）が、蓄電素子４０１の正極端子４３０（第一蓄電素子の第一端子）と外部接続端子２１０の正極側端子とを接続する。つまり、蓄電素子４０１の正極端子４３０（第一蓄電素子の第一端子）及び外部接続端子２１０の正極側端子が、蓄電素子４１４の負極端子４４０及び正極端子４３０（第二蓄電素子の第二端子及び第三端子）に接続されることなく、互いに接続される。
【００９８】
また、蓄電装置１が１４個の蓄電素子４０を備える場合には、導電部材６４（第三導電部材）が、外部接続端子２１０の正極側端子と蓄電素子４１４の正極端子４３０（第二蓄電素子の第三端子）とを接続する。また、バスバー６０ａ（第一導電部材）が、蓄電素子４０１の正極端子４３０（第一蓄電素子の第一端子）と蓄電素子４１４の負極端子４４０（第二蓄電素子の第二端子）とを接続する。
【００９９】
以上のように、本発明の実施の形態に係る蓄電装置１によれば、第一蓄電素子の第一端子と接続可能な第二端子を有する第二蓄電素子が収容される蓄電素子収容部１１０と、当該第一端子と第二蓄電素子の第三端子とに接続可能な外部接続端子２１０とを備えている。つまり、蓄電素子収容部１１０に第二蓄電素子が収容される場合には、第一蓄電素子の第一端子と第二蓄電素子の第二端子とを接続し、かつ、第二蓄電素子の第三端子と外部接続端子２１０とを接続する。また、蓄電素子収容部１１０に第二蓄電素子が収容されない場合には、第一蓄電素子の第一端子と外部接続端子２１０とを接続する。これにより、第二蓄電素子の取り付け及び取り外しを容易に行うことができるため、蓄電装置１によれば、蓄電素子４０の個数を容易に変更することができる。また、蓄電素子４０の個数を変更しても端子側配置部材５０や外装体１０などの共通化を図ることができているため、低コストで、蓄電素子４０の個数が異なる蓄電装置１を構成することができる。
【０１００】
また、蓄電装置１において、１４個の蓄電素子４０を備える構成から、１３個の蓄電素子４０を備える構成に変更する場合には、外部接続端子２１０と接続されていた蓄電素子４１４を取り外すことになる。ここで、取り外す対象の蓄電素子４０を、蓄電素子４０１〜４１２など２つの蓄電素子４０間の蓄電素子とした場合、取り外した後の蓄電素子４０の電極端子間は、コスト面等から一般的にはバスバーではなく配線によって接続される。この場合、蓄電素子４０の電極端子間の電圧を計測する際に、配線はバスバーよりも抵抗が大きいため、当該電極端子間を配線で繋ぐ方がバスバーで繋ぐ場合と比べて、通電時の電圧ドロップが大きくなり、電圧計測に誤差が生じる。このことから、蓄電装置１の構成によれば、蓄電素子４０の個数を変更しても、２つの蓄電素子４０間の接続をバスバーのままとすることができるため、電圧計測の精度の低下を抑制することができる。
【０１０１】
また、蓄電装置１において、端子側配置部材５０は、第一蓄電素子の第一端子及び第二蓄電素子の第二端子を接続する第一導電部材を収容可能な導電部材収容部５２４と、当該第一端子及び外部接続端子２１０を接続する第二導電部材を導電部材収容部５２４から導出可能な第一導出部５２５とを有している。つまり、導電部材収容部５２４に第一導電部材を配置すれば、第一蓄電素子に第二蓄電素子を接続することができ、第一導出部５２５に第二導電部材を配置すれば、第一蓄電素子に外部接続端子２１０を接続することができる。このため、第一蓄電素子に第二蓄電素子が接続され第二蓄電素子に外部接続端子２１０が接続された状態から、第二蓄電素子を取り外して第一蓄電素子に外部接続端子２１０を接続することで、蓄電素子４０の数を減らすことができる。このように、蓄電装置１によれば、蓄電素子４０の取り付け及び取り外しを容易に行うことができるため、蓄電素子４０の個数を容易に変更することができる。
【０１０２】
また、端子側配置部材５０に形成された導電部材収容部５２４はバスバー配置用の開口部であり、第一導出部５２５は端子接続用の開口部であり、これら２つの開口部は、端子側配置部材５０の異なる部分を異なる方向に貫通している。つまり、導電部材収容部５２４を、第二蓄電素子の方向に向けて開口させることで、導電部材収容部５２４を介して第一蓄電素子及び第二蓄電素子を容易に接続することができる。また、第一導出部５２５を外部接続端子２１０の方向に向けて開口させることで、第一導出部５２５を介して第一蓄電素子及び外部接続端子２１０を容易に接続することができる。
【０１０３】
また、端子側配置部材５０において、導電部材収容部５２４の外周には壁部５２２が形成され、壁部５２２に第一導出部５２５が形成されているため、導電部材収容部５２４の外周に壁部５２２を形成した場合でも、容易に第一導出部５２５を形成することができる。
【０１０４】
また、端子側配置部材５０は、さらに、外部接続端子２１０と第二蓄電素子の第三端子とを接続する第三導電部材を導出可能な第二導出部５１３を有している。これにより、第二蓄電素子を取り付ける際に、容易に、外部接続端子２１０に第二蓄電素子を接続することができる。
【０１０５】
また、蓄電素子収容部１１０は、第一蓄電素子と隣り合う位置、かつ、外部接続端子２１０の最も近くに配置されるため、蓄電素子収容部１１０に第二蓄電素子を収容する際に、第二蓄電素子を第一蓄電素子及び外部接続端子２１０に容易に接続することができる。
【０１０６】
また、第一蓄電素子の第一端子及び外部接続端子２１０は、第二蓄電素子の第二端子及び第三端子に接続されることなく、互いに接続されている。つまり、蓄電装置１において、第二蓄電素子が収容される蓄電素子収容部１１０が設けられている場合でも、第二蓄電素子が収容されることなく、第一蓄電素子と外部接続端子２１０とが接続された構成を有している。このように、蓄電装置１によれば、蓄電素子４０の個数を収容可能な個数から低減して構成することができる。
【０１０７】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態に含まれる構成要素を任意に組み合わせて構築される形態も、本発明の範囲内に含まれる。
【０１０８】
例えば、上記実施の形態では、導電部材配置部５２０に第一導出部５２５が形成され、導電部材配置部５１０に第二導出部５１３が形成されていることとした。しかし、導電部材６１または６４を導出可能な構成であれば、第一導出部５２５及び第二導出部５１３のいずれか一方または双方が形成されていない構成でもかまわない。
【０１０９】
また、上記実施の形態では、導電部材収容部５２４と第一導出部５２５、及び、導電部材収容部５１２と第二導出部５１３は、端子側配置部材５０の異なる部分を異なる方向に貫通した開口部であることとした。しかし、導電部材収容部５２４と第一導出部５２５、または、導電部材収容部５１２と第二導出部５１３は、端子側配置部材５０の異なる部分を同じ方向に貫通した開口部であってもよい。
【０１１０】
また、上記実施の形態では、導電部材配置部５２０の壁部５２２に第一導出部５２５が形成され、導電部材配置部５１０の壁部５１１に第二導出部５１３が形成されていることとした。しかし、第一導出部５２５は壁部５２２以外の箇所に形成されていてもよいし、第二導出部５１３は壁部５１１以外の箇所に形成されていてもよい。
【０１１１】
また、上記実施の形態では、蓄電装置１は、蓄電素子４１４を取り付け及び取り外すことができる構成であることとした。しかし、取り付け及び取り外し可能な蓄電素子は蓄電素子４１４には限定されず、蓄電素子４１３でもかまわない。つまり、取り付け及び取り外し可能な蓄電素子が収容される蓄電素子収容部は、外部接続端子２１０の最も近くに配置される収容部には限定されない。この場合、蓄電素子４１３に対応する導電部材配置部に、導電部材を導出する導出部が形成される。
【０１１２】
また、上記実施の形態では、蓄電装置１が備える蓄電素子４０の個数は、１４個から１個減らして１３個に変更可能な構成であることとした。しかし、蓄電装置１が変更可能な蓄電素子４０の個数は、特に限定されず、例えば、１４個から２個減らして１２個に変更可能な構成であったり、それ以外の個数に変更可能な構成であってもかまわない。例えば、２個減らす場合には、減らす対象の蓄電素子４０は、蓄電素子４１４及び４０１、または蓄電素子４１４及び４１３などが考えられる。この場合、対応する導電部材配置部に導電部材を導出する導出部を形成することで、実現することができる。
【０１１３】
また、上記実施の形態では、蓄電装置１は、１４個の蓄電素子４０が収容可能な構成であることとしたが、収容可能な蓄電素子４０の個数は、１４個には限定されず、どのような個数であってもかまわない。また、上記実施の形態では、蓄電素子４０は２列（蓄電素子４０１〜４０６（及び４１４）と、蓄電素子４０７〜４１３の２列）に配置されていることとしたが、これについても、１列または３列以上配置されていてもかまわない。
【０１１４】
また、上記実施の形態では、蓄電素子４０（蓄電素子４０１〜４１３（及び４１４））は、例えば図７（または図９）において、容器蓋部４２１の長手方向がＸ軸方向に向くように（容器４２０の長側面がＸＺ平面に平行になるように）配置されていることとした。しかし、蓄電素子４０は、容器蓋部４２１の長手方向がＹ軸方向に向くように（容器４２０の長側面がＹＺ平面に平行になるように）配置されることにしてもよい。この場合でも、蓄電素子４０が収容される空間のうち、Ｘ軸方向プラス側かつＹ軸方向マイナス側の端部の空間を蓄電素子収容部１１０として、上記実施の形態と同様の構成を適用することができる。つまり、この場合、上記実施の形態と同様に、蓄電素子収容部１１０に収容される蓄電素子を蓄電素子４１４とし、蓄電素子４１４に隣接して蓄電素子４０１が配置されることとし、外部接続端子２１０が蓄電素子４１４と蓄電素子４０１とに接続可能な構成とすることができる。そして、この場合、蓄電素子収容部１１０は、蓄電素子４０１と隣り合う位置、かつ、外部接続端子２１０の最も近くに配置される蓄電素子の収容部となる。なお、この場合、蓄電素子４０の個数、配置位置や接続形態（直列接続または並列接続）等は、特に限定されない。また、蓄電素子４０は、容器蓋部４２１の長手方向がＸ軸方向及びＹ軸方向とは異なる方向（Ｘ軸方向及びＹ軸方向から傾斜した方向）に向くように配置されることにしてもよい。また、蓄電素子収容部１１０は、外部接続端子２１０の最も近くに配置される構成でなくともかまわない。
【０１１５】
また、本発明は、このような蓄電装置１として実現することができるだけでなく、蓄電装置１が備える、蓄電素子４０の電極端子側に配置される端子側配置部材５０としても実現することができる。
【産業上の利用可能性】
【０１１６】
本発明は、蓄電素子の個数を容易に変更することができる蓄電装置等に適用できる。
【符号の説明】
【０１１７】
１  蓄電装置
１０  外装体
２０  底面側配置部材
４０、４０１〜４１４  蓄電素子
５０  端子側配置部材
６０、６０ａ  バスバー
６１〜６４  導電部材
７０  配線基板
８１  計測基板
８２  主回路基板
１００  外装体本体
１１０  蓄電素子収容部
２００  前壁部
２１０  外部接続端子
３００  上壁部
４２０  容器
４２１  容器蓋部
４３０  正極端子
４４０  負極端子
５１０〜５４０  導電部材配置部
５１１、５２２、５３２  壁部
５１２、５２４、５３４  導電部材収容部
５１３  第二導出部
５２１、５３１  載置部
５２３、５３３  突起部
５２５  第一導出部
【図１】
0006682786.tif 000002
【図２】
0006682786.tif 000003
【図３】
0006682786.tif 000004
【図４】
0006682786.tif 000005
【図５】
0006682786.tif 000006
【図６】
0006682786.tif 000007
【図７】
0006682786.tif 000008
【図８】
0006682786.tif 000009
【図９】
0006682786.tif 000010